(57)【特許請求の範囲】
【請求項１】
フライホイールと、
前記フライホイールを回転可能に支持するジンバルと、
ジンバル軸を介して前記ジンバルを揺動可能に支持するジンバル支持部と、
前記ジンバルの揺動を制動するダンパと、
前記ジンバルの揺動をロックするロック機構と
を具備し、前記ジンバル支持部が船体に固定される船舶用の減揺装置であって、
前記フライホイールの回転軸は、前記船体が静水面にいるとき鉛直方向に配置され、
前記ジンバル軸は、前記船体のピッチ軸方向と平行に配置され、
前記ロック機構は、前記ジンバル軸に装着されるブレーキディスクと、前記ブレーキディスクの回転を停止して前記ジンバル軸の回転を停止するブレーキパッドとを備え、
前記ロック機構は、ロック動作時にのみ動作し、通常の減揺機能を妨げない
減揺装置。
【請求項２】
フライホイールと、
前記フライホイールを回転可能に支持するジンバルと、
ジンバル軸を介して前記ジンバルを揺動可能に支持するジンバル支持部と、
前記ジンバルの揺動を制動するダンパと、
前記ジンバルの揺動をロックするロック機構と
を具備し、前記ジンバル支持部が船体に固定される船舶用の減揺装置であって、
前記フライホイールの回転軸は、前記船体が静水面にいるとき鉛直方向に配置され、
前記ジンバル軸は、前記船体のピッチ軸方向と平行に配置され、
前記ロック機構は、前記ジンバル本体の揺動を前記揺動の接線方向から前記ジンバルの本体に押し付けてロックする一対の挟持用の軸ストッパと、前記軸ストッパを移動させると共に前記ジンバルに押し付ける荷重を印加する直動式のアクチュエータとを備え、
前記ロック機構は、ロック動作時にのみ動作し、通常の減揺機能を妨げない
減揺装置。
【請求項３】
船体と、
前記船体に設けられた請求項１又は２に記載の減揺装置と
を具備する
船舶。
【請求項４】
船舶の減揺装置の動作方法であって、
船舶を準備するステップと、
ここで、前記船舶は、
船体と、
前記船体に設けられた前記減揺装置と
を具備し、
前記減揺装置は、
フライホイールと、
前記フライホイールを回転可能に支持するジンバルと、
ジンバル軸を介して前記ジンバルを揺動可能に支持するジンバル支持部と、
前記ジンバルの揺動を制動するダンパと、
前記ジンバルの揺動をロックするロック機構と
を備え、前記ジンバル支持部が前記船体に固定される船舶用の減揺装置であり、
前記フライホイールの回転軸は、前記船体が静水面にいるとき鉛直方向に配置され、
前記ジンバル軸は、前記船体のピッチ軸方向と平行に配置され、
前記ロック機構は、前記ジンバル軸に装着されるブレーキディスクと、前記ブレーキディスクの回転を停止して前記ジンバル軸の回転を停止するブレーキパッドとを備え、
前記ロック機構は、ロック動作時にのみ動作し、通常の減揺機能を妨げず、
前記フライホイールを自転させるステップと、
前記フライホイールの自転及び前記船体の揺動により前記ジンバルが揺動するとき、前記ロック機構で前記ジンバルの揺動をロックするステップと
を具備する
船舶の減揺装置の動作方法。
【請求項５】
船舶の減揺装置の動作方法であって、
船舶を準備するステップと、
ここで、前記船舶は、
船体と、
前記船体に設けられた前記減揺装置と
を具備し、
前記減揺装置は、
フライホイールと、
前記フライホイールを回転可能に支持するジンバルと、
ジンバル軸を介して前記ジンバルを揺動可能に支持するジンバル支持部と、
前記ジンバルの揺動を制動するダンパと、
前記ジンバルの揺動をロックするロック機構と
を備え、前記ジンバル支持部が前記船体に固定される船舶用の減揺装置であり、
前記フライホイールの回転軸は、前記船体が静水面にいるとき鉛直方向に配置され、
前記ジンバル軸は、前記船体のピッチ軸方向と平行に配置され、
前記ロック機構は、前記ジンバル本体の揺動を前記揺動の接線方向から前記ジンバルの本体に押し付けてロックする一対の挟持用の軸ストッパと、前記軸ストッパを移動させると共に前記ジンバルに押し付ける荷重を印加する直動式のアクチュエータとを備え、
前記ロック機構は、ロック動作時にのみ動作し、通常の減揺機能を妨げず、
前記フライホイールを自転させるステップと、
前記フライホイールの自転及び前記船体の揺動により前記ジンバルが揺動するとき、前記ロック機構で前記ジンバルの揺動をロックするステップと
を具備する
船舶の減揺装置の動作方法。
【発明の詳細な説明】
【技術分野】
【０００１】
本発明は、揺れを抑える減揺装置及びそれを用いた船舶に関する。
【背景技術】
【０００２】
船舶のような乗り物の揺れを低減する減揺装置が知られている。例えば、特開平７−２１５２８０号公報（対応米国特許ＵＳ５６２８２６７（Ａ））に船舶用動揺制振装置及び船舶が開示されている。この舶用動揺制振装置は、コントロール・モーメント・ジャイロ（１００）を有する。その動揺制振装置において、ジャイロ（１００）のフライホイール（１）のスピン軸（６０）は偏平型スピンモータ（５）により駆動されるとともに、スピン軸受（６）を介してジンバル（２）で支持される。ジンバル（２）はジンバル軸（３）とジンバル軸受（７）を介してサポート（８）で支持される。ジンバル軸（３）の動揺はディスクブレーキ（３０）により制動される。ディスクブレーキ（３０）はジンバル軸連結固定ディスク（９）とサポート連結固定ディスク（１０）とからなる。ジンバル軸（３）の動揺はパウダブレーキ（４０）又はオイルダンパ（１１）により制動される。【０００３】
上記の船舶用動揺制振装置は、高速回転するフライホイールをジンバルで支持し、船舶の揺れによりジンバルが揺動し、ジャイロ効果により発生するジャイロトルク（カウンタートルク）を船体へ伝達し、船舶のローリングを減揺させる装置である。この船舶用動揺制振装置では、ジャイロトルクはジンバル軸の動揺をディスクブレーキやパウダブレーキやオイルダンパのような制動装置により制動されている。【０００４】
上述のような減揺装置に関して、発明者は以下の事実を見出した。すなわち、上述のような減揺装置にはジンバル軸の動揺を制動する制動装置は設けられているが、非常時に減揺装置を急停止させる機構は装着されていない。言い換えると、減揺装置のジンバルが過大に作動した場合に、その過大なジンバル作動に対する抑制機構は制動装置のみである。そのため、例えば、温度上昇などの原因により制動装置の機能が十分に発揮できず不調になった場合、ジンバルが激しく揺動し、減揺装置の動作不良となる可能性がある。【０００５】
また、上述の減揺装置では、制動装置が不調になったとき、減揺装置を急停止するためには、フライホイールのモータの電源スイッチを切り、フライホイールが停止するまで放置する必要がある。しかし、フライホイールが停止するのにかかる時間は長時間である。制動装置の不調時に揺動装置を長時間放置すると、制動装置が不調のままジンバルが長時間作動し続けることとなるため、制動装置の動作不良の原因となる可能性がある。【０００６】
また、船舶に設置された減揺装置の効果を海上にて確認するために、減揺装置を一時的に停止する方法も、モータの電源スイッチを切ることしかない。そして、電源スイッチを切った後、減揺装置が停止するまで長時間程度待機する必要がある。しかし、その後に船体が受ける波の状況は変化する可能性があり、同一条件の波を船体への入力とした減揺装置の効果確認が困難である。また時間が経過しての減揺効果の体感も難しい。【０００７】
関連する技術として、特開２０１０−２５６０４２号公報（対応米国公開ＵＳ２０１１０３０６０４（Ａ１））に船舶の減揺装置が開示されている。この船舶の減揺装置は、フライホイールと、ジンバルと、モータと、ジンバル支持部と、第１ダンパと、モータドライバと、安全装置とを具備する。ジンバルは、フライホイールを回転可能に支持する。モータは、フライホイールを駆動する。ジンバル支持部は、ジンバルを揺動可能に支持する。第１ダンパは、ジンバルの揺動を制動する。モータドライバは、モータに駆動電力を供給する。安全装置は、第１ダンパの温度が所定の温度を超えた場合にモータドライバに駆動電力の供給を遮断させる。
【先行技術文献】
【特許文献】
【０００８】
【特許文献１】特開平７−２１５２８０号公報
【特許文献２】特開２０１０−２５６０４２号公報
【発明の概要】
【０００９】
本発明の目的は、短時間で急停止することが可能な減揺装置及びそれを用いた船舶を提供することにある。また、本発明の他の目的は、安全性をより高めることが可能な減揺装置及びそれを用いた船舶を提供することにある。本発明の更に他の目的は、減揺の効果の確認を容易に行うことが可能な減揺装置及びそれを用いた船舶を提供することにある。
【００１０】
本発明の減揺装置は、フライホイールと、ジンバルと、ジンバル支持部と、ダンパと、ロック機構とを具備している。ジンバルは、フライホイールを回転可能に支持する。ジンバル支持部は、ジンバル軸を介してジンバルを揺動可能に支持する。ダンパは、ジンバルの揺動を制動する。ロック機構は、ジンバルの揺動をロックする。
【００１１】
上記の減揺装置において、ロック機構は、ジンバル軸の揺動をロックするように設けられていても良い。例えば、上記の減揺装置において、ロック機構は、ジンバル軸の揺動をロックするディスクブレーキを含んでいても良い。
【００１２】
上記の減揺装置において、ロック機構は、ジンバル本体の揺動をロックするように設けられていても良い。例えば、上記の減揺装置において、ロック機構は、ジンバル本体の揺動をロックするアクチュエータを含んでいても良い。
【００１３】
本発明の船舶は、船体と、船体に設けられた上記各段落のいずれかに記載の減揺装置とを具備している。
【００１４】
上記の船舶において、船舶用減揺装置は、ジンバル軸が船体のピッチ軸方向と平行になるように設置されていても良い。
【００１５】
本発明の船舶の減揺装置の動作方法は、船舶を準備するステップを備えている。ここで、船舶は、船体と船体に設けられた減揺装置とを具備している。減揺装置は、フライホイールと、ジンバルと、ジンバル支持部と、ダンパと、ロック機構とを具備している。ジンバルは、フライホイールを回転可能に支持する。ジンバル支持部は、ジンバル軸を介してジンバルを揺動可能に支持する。ダンパは、ジンバルの揺動を制動する。ロック機構は、ジンバルの揺動をロックする。舶の減揺装置の動作方法は、更に、フライホイールを自転させるステップと、フライホイールの自転及び船体の揺動によりジンバルが揺動するとき、ロック機構でジンバルの揺動をロックするステップとを具備している。
【００１６】
本発明により、短時間で急停止することが可能な減揺装置及びそれを用いた船舶を提供できる。また、本発明により、安全性をより高めることが可能な減揺装置及びそれを用いた船舶を提供できる。また、本発明により、減揺の効果の確認を容易に行うことが可能な減揺装置及びそれを用いた船舶を提供できる。
【図面の簡単な説明】
【００１７】
本発明の前記及びその他の目的、長所及び特徴は、添付の図面を考慮して次の実施の形態の記載によって、より詳細に分かるであろう。
【図１】図１は、本実施の形態に係る減揺装置を用いた船舶の構成を示す外観図である。
【図２Ａ】図２Ａは、本実施の形態に係る減揺装置の構成例を示す模式図である。
【図２Ｂ】図２Ｂは、本実施の形態に係る減揺装置の他の構成例を示す模式図である。
【図３】図３は、本実施の形態に係る減揺装置の動作を示す模式図である。
【図４】図４は、本実施の形態に係る減揺装置の動作を示す模式図である。
【発明を実施するための形態】
【００１８】
以下、本発明の実施の形態に係る減揺装置及びそれを用いた船舶に関して、添付図面を参照して説明する。
【００１９】
まず、本実施の形態に係る減揺装置及びそれを用いた船舶の構成について説明する。
図１は、本実施の形態に係る減揺装置を用いた船舶の構成を示す外観図である。ここでは、船舶１としてボートを例示している。ただし、本実施の形態に係る減揺装置はボートだけでなく、船舶の種類に合わせたサイズや配置などの変更を行うことで、他の種類の船舶にも適用可能である。船舶１は、船体２と、減揺装置３と、発電機４と、制御装置５とを具備している。
【００２０】
減揺装置３は、船体２に設けられ、船体２内に固定されている。減揺装置３は、船体２の揺動を抑制するアンチローリングシステムである。その詳細は後述される。発電機４は、船体２に設けられ、減揺装置３へ電力を供給する。制御装置５は、コンピュータに例示される情報処理装置であり、例えば発電機４から電力を供給され、ユーザの操作又はソフトウェアの指令に基づいて減揺装置３の動作を制御する。船舶１は、このような構成を有しているので、後述される減揺装置３の作用・効果を奏することができる。
【００２１】
図２Ａは、本実施の形態に係る減揺装置の構成例を示す模式図である。ここでは、見易さのために発電機４の記載を省略している。減揺装置３は、フライホイール２０と、ジンバル１１と、ジンバル支持部１２と、ダンパ１３と、ロック機構１４とを具備している。
【００２２】
フライホイール２０はジンバル１１内に設けられている。ジンバル１１は、フライホイール２０が回転軸１７まわりに回転可能なように、フライホイール２０を支持している。それにより、フライホイール２０は、ジンバル１１に搭載されたモータ１６により駆動され、回転軸１７まわりに回転する。制御装置５は、モータ１６への発電機４の電力供給を制御することで、フライホイール２０の回転を制御する。
【００２３】
ジンバル支持部１２は、ジンバル１１がジンバル軸（ジンバルシャフト）１５まわりに揺動可能なように、ジンバル軸１５を介してジンバル１１を支持している。ダンパ１３は、ジンバル軸１５を介してジンバル１１の揺動を制動する。ダンパ１３は、作動油の流体抵抗を用いる制動機構やディスクブレーキのような制動機構に例示される。
【００２４】
ロック機構１４は、ジンバル１１の揺動（ジンバル作動）をロックする。すなわち、ロック機構１４は、ジンバル１１の揺動（ジンバル作動）を極めて短時間に停止させ、そしてその停止状態を維持する。ロック機構１４は、ディスクブレーキを用いた機構やアクチュエータを用いた機構に例示される。ディスクブレーキを用いた機構は、ジンバル１１のジンバル軸１５にブレーキディスクを装着し、ブレーキパッドによりブレーキディスクの回転、すなわちジンバル軸１５の回転を停止することで、ジンバル１１の揺動をロックする。アクチュエータを用いた機構は、油圧・空圧や電動のアクチュエータをジンバル１１の本体（フライホイール２０を内包する筐体）に直結し、そのジンバル１１の本体に荷重を印荷してその揺動を停止することで、ジンバル１１の揺動をロックする。これらのロック機構は、ロック動作時にのみ動作し、通常の減揺装置３の機能を妨げないようにする。制御装置５は、ロック機構１４への発電機４の電力供給を制御することで、ロック機構１４の動作を制御する。
【００２５】
この図は、ロック機構１４としてディスクブレーキによりロックするロック機構の例を模式的に示している。具体的には、ロック機構１４として、ジンバル１１のジンバル軸１５に装着されたブレーキディスク１４ａと、そのブレーキディスク１４ａの動作をロックする駆動部１４ｂ（パッド、ピストン及びキャリパを含む）とを備えるディスクブレーキを用いている。それにより、ロック機構１４は、ジンバル軸１５の揺動をロックすることができ、ジンバル１１の揺動をロックすることができる。要求されるブレーキの強さに応じて、ブレーキディスク１４ａの大きさや枚数を増やしても良い。このようなディスクブレーキは、構造が簡便で製造及び取り付けが容易であり好ましい。
【００２６】
本実施の形態では、制動用のダンパ１３の他に、急停止用のロック機構１４を別体として減揺装置３に装着している。それにより、フライホイール２０を停止するための安全装置機能を多重にすることが可能となる。その結果、仮にダンパ１３が不調になったとても、ロック機構１４により安全かつ短時間で減揺装置３を停止させることができる。特に、ロック機構１４は、停止機能に特化しているので、制動機能を有する必要がなく、その構造を相対的に簡素にすることができる。それにより、装置の小型化も可能である。
【００２７】
減揺装置３は、船体２の船体中心線上にフライホイール２０の回転中心１８が重なるように配置される。（ただし、減揺装置３を２個配置する場合には、重なっていなくてもよい。その場合、Ｘ軸を中心にＹ軸方向に等距離の位置に２個配置する。ただし、いずれも船体２の回転軸Ｙと減揺装置３のジンバル軸１５とは平行とする。）ここで、フライホイール２０の回転中心１８を原点とし、船首方向をＸ軸とし、鉛直方向をＺ軸とし、Ｘ軸及びＺ軸と直角な方向をＹ軸とする。このとき、減揺装置３は、ジンバル軸１５がＸ軸方向に対して直角になるように配置される。言い換えると、減揺装置３は、ジンバル軸１５がＹ軸方向に平行になるように配置される。更に、減揺装置３は、ジンバル軸１５をジンバル１１内部へ仮想的に延長した線がフライホイール２０の回転中心１８を貫通するように（回転軸１７と交わるように）配置される。更に、減揺装置３は、船体２が静水面にいるとき、回転軸１７がＺ軸方向に平行になるように配置される。
【００２８】
ロック機構１４は、上述したようにアクチュエータを用いる機構であっても良い。図２Ｂは、本実施の形態に係る減揺装置の構成例を示す模式図である。ここでは、見易さのために発電機４及び制御装置５の記載を省略している。この図の例では、ロック機構１４がアクチュエータを用いている点で、図２Ａの例と相違している。そのロック機構１４は、アクチュエータ１４ｃとストッパ１４ｄとを備えている。アクチュエータ１４ｃは、油圧・空圧や電動のアクチュエータである。ストッパ１４ｄは、アクチュエータ１４ｃに接続されている。ストッパ１４ｄは、ロック機構１４の動作時に、アクチュエータ１４ｃによりジンバル１１の本体に押し付けられる。それにより、ロック機構１４は、ジンバル１１の本体に荷重を印荷してその揺動を停止して、ジンバル１１の揺動をロックする。
【００２９】
次に、本実施の形態に係る減揺装置及びそれを用いた船舶の動作について説明する。
１．揺動抑制動作
減揺装置３は以下の原理に従いアンチローリングモーメントＴを発生し、船舶１の減揺装置として機能する。フライホイール２０は、モータ１６の回転により自転している。自転するフライホイール２０のＺ軸まわりの慣性モーメントをＩ、自転速度をωとすると、フライホイール２０の持つ角運動量Ｈは式（１）のようになる。
Ｈ＝Ｉ×ω      （１）
この状態において、フライホイール２０をＹ軸まわりにθ・なる回転速度で回転させる場合を考える。その場合、Ｘ軸まわりに式（２）の大きさのモーメントＴが発生する。
Ｔ＝Ｈ×θ・      （２）
すなわち、フライホイール２０はＸ軸まわりにＴなるモーメントで回転しようとする。なお、Ｘ軸、Ｙ軸、Ｚ軸の相対関係は不変である。
【００３０】
次に、フライホイール２０でＹ軸まわりにθ・なる回転速度が発生する原理を以下に述べる。図３及び図４は、本実施の形態に係る減揺装置の動作を示す模式図である。ただし、モータ１６及び発電機４の記載を省略している。図３は、船体２が波によりＸ軸まわりに左舷に（船尾から見て反時計回りに）φ・なる回転速度で揺動する場合を示している。フライホイール２０はＹ軸をジンバル軸１５とするジンバル１１に保持され、ジンバル支持部１２を介して船体２に固定されている。そのため、フライホイール２０はＸ軸まわりに自由に回転することはできず、Ｘ軸まわりに船体２と同じφ・なる回転速度で回転する。その結果、上記モーメントＴの発生原理と同様の原理にて、Ｙ軸まわりに式（３）の揺動トルクＴＧが発生する。
ＴＧ＝Ｈ×φ・      （３）
その揺動トルクＴＧにより、フライホイール２０の回転が発生する。すなわち、その揺動トルクＴＧにより、フライホイール２０はＹ軸まわりにθ・なる回転速度にて回転する。図４は、フライホイール２０が軸まわりにθ・なる回転速度にて回転する場合を示している。フライホイール２０がＹ軸まわりにθ・なる回転速度にて回転すると、上述されたように、フライホイール２０の角運動量Ｈとの作用により、Ｘ軸まわりにアンチローリングモーメントＴ（Ｔ＝Ｈ×θ・）が発生する。しかし、フライホイール２０はジンバル１１にて船体２に固定されているので、そのモーメントＴは船体２の揺動に対抗する方向に作用する。その結果、船体２の揺動とモーメントＴとが打ち消し合い、船体２の揺動が抑制される。
一方、船体２の揺動が逆方向の場合は全てが逆方向となり、発生するモーメントＴも逆方向となる。そして、その場合にも、船体２の揺動とモーメントＴとが打ち消し合い、船体２の揺動が抑制される。
【００３１】
以上のようにして、発生するモーメントＴは常に船体２の揺動と逆方向、すなわち、アンチローリングモーメントとして作用して、船体２の揺動が抑制される。
【００３２】
２．ロック動作
上記１．揺動抑制動作の最中に、ジンバル１１の揺動作動を急停止させたい事情が発生した場合（例示：減揺装置３の効果確認、ダンパ１３の不調）を考える。その事情の発生は、ユーザが把握しても良いし、図示されないセンサ（例示：ダンパ１３の温度センサ）などで検出しても良い。センサなどの場合、その検出信号は制御装置５に出力される。
【００３３】
ユーザ又はソフトウェアは制御装置５を介してロック機構１４を動作させる。ロック機構１４は、ジンバル１１の揺動（ジンバル作動）をロックする。図２〜図４の例では、ロック機構１４（ディスクブレーキ）は、ジンバル軸１５に装着されたブレーキディスク１４ａを、駆動部１４ｂにより強力に挟持する。それにより、ロック機構１４は、ブレーキディスク１４ａの回転、すなわちジンバル軸１５を停止させる。その結果、ジンバル１１の揺動作動は、極めて短時間で停止する（急停止する）。
【００３４】
以上のようにして、揺動抑制動作の最中に、ジンバル１１の揺動作動を急停止させることができる。
【００３５】
上記のように、本実施の形態の減揺装置３では、ロック機構１４を有している。そのロック機構１４により、ダンパ１３が故障したときに揺動中のジンバル１１がどの位相にあっても、ジンバル１１の揺動作動をロックすることが可能となる。それにより、ダンパ１３が故障したときでも減揺装置３が破損することを防止することが可能となる。
【００３６】
更に、海上にて減揺装置３のジンバル１１の揺動作動を急停止することで、減揺装置３の機能を停止することが可能となる。そのため、ほぼ同一の波の条件下で、減揺装置３がＯＮしたときの船舶１の状態と、減揺装置３がＯＦＦしたときの状態とを比較することができる。それにより、減揺装置３の効果を確認することが可能となる。
【００３７】
更に、本実施の形態では、ダンパ１３とロック機構１４とを分離して減揺装置３に装着しているので、ダンパ１３が故障しても、ロック機構１４により安全に減揺装置３を停止させることができる。それにより、減揺装置３をより安全な装置とすることができる。
【００３８】
なお、本実施の形態の減揺装置は、船舶の他にゴンドラやロープウェイ、モノレールやクレーン吊り荷などの揺動低減にも利用することができる。
【００３９】
本発明は上記各実施の形態に限定されず、本発明の技術思想の範囲内において、各実施の形態は適宜変形又は変更され得ることは明らかである。
【００４０】
本発明はいくつかの実施の形態と併せて上述されたが、これらの実施の形態は本発明を説明するために単に提供されたものであることは当業者にとって明らかであり、意義を限定するように添付のクレームを解釈するために頼ってはならない。
【要約】
減揺装置は、フライホイール２０と、ジンバル１１と、ジンバル支持部１２と、ダンパ１３と、ロック機構１４とを具備する。ジンバル１１は、フライホイール２０を回転可能に支持する。ジンバル支持部１２は、ジンバル軸１５を介してジンバル１１を揺動可能に支持する。ダンパ１３は、ジンバル１１の揺動を制動する。ロック機構１４は、ジンバル１１の揺動をロックする。【図１】
0005646066.tif 000002
【図２Ａ】
0005646066.tif 000003
【図２Ｂ】
0005646066.tif 000004
【図３】
0005646066.tif 000005
【図４】
0005646066.tif 000006